(57)【要約】      （修正有）【課題】発電量を拡大できるソーラーパネルを結合した風力発電装置及びそれを積み重ねた発電装置を提供する。【解決手段】ソーラーパネルを結合した風力発電装置１は、サポート底台１０、下ベアリング台２０、中心軸体３０、タービンファン４０、ブレードモジュール５０、上封鎖蓋体６０、発電モジュール７０、遮蔽モジュール８０、数個のソーラーパネル９０を備え、タービンファン４０とブレードモジュール５０を利用し、風力を発電モジュール７０に伝え発電し、ブレードモジュール５０の導引と調節により、回転時のトルクを高め回転全体の運動エネルギーを向上させる。ソーラーパネル９０はソーラーエネルギーの転換を行うだけでなく、風力に対応して旋回することにより放熱でき、汚れの付着も回避できる。【選択図】図１
0003187822.tif 000002
【実用新案登録請求の範囲】
【請求項１】
ソーラーパネルを結合した風力発電装置は、中心軸体、タービンファン、ブレードモジュール、上封鎖蓋体、発電モジュール、遮蔽モジュールを備え、
前記下ベアリング台は、サポート底台に設置し、
前記中心軸体の一端は、前記下ベアリング台に可動状に設置し、
前記タービンファンは、前記中心軸体に嵌めて設置し、しかも前記下ベアリング台上に設置し、
前記タービンファンは、数個の通気孔、数個のファンブレード、ブレードモジュール、を備え、
前記数個のファンブレードは、前記各通気孔にそれぞれ対応し、前記タービンファンの片側に設置し、
前記ブレードモジュールは、前記タービンファン上に設置し、前記ブレードモジュールは、数個の内ブレード、数個の延伸ブレードを備え、
前記数個の内ブレードは、それぞれ前記タービンファン上に連接し、
前記数個の延伸ブレードは、前記タービンファン上にそれぞれ可動状に設置され、前記各延伸ブレードは、その内の一つの内ブレードにそれぞれ隣接し、しかも弧状を呈し、
前記上封鎖蓋体は、上ベアリング台に結合し、前記中心軸体に嵌めて設置し、しかもブレードモジュール上を覆って設置し、
前記発電モジュールは、上封鎖蓋体上に設置し、発電モジュールは、主動ホイール、発電ユニットセット、少なくとも１個の伝動ベルトを備え、
前記主動ホイールは、上封鎖蓋体上に設置し、前記上封鎖蓋体と連動し、
前記発電ユニットセットは、少なくとも１個の発電機を備え、しかも前記発電機は、発電機回転軸を備え、
前記少なくとも１個の伝動ベルトは、前記発電機回転軸と前記主動ホイールに嵌めて設置し、これにより前記発電機回転軸は、前記主動ホイールの連動を受け、
前記遮蔽モジュールは、前記上封鎖蓋体上を覆って設置し、しかも前記遮蔽モジュールは、数個の延伸遮蔽板を備え、
数個のソーラーパネルは、前記遮蔽モジュールの各延伸遮蔽板上にそれぞれ設置することを特徴とするソーラーパネルを結合した風力発電装置。
【請求項２】
前ソーラーパネルを結合した風力発電装置はさらに、数個のブレードベアリング台を備え、それは２個ずつが組になり、それぞれ前記上封鎖蓋体の表面と、前記タービンブレードの下表面に設置し、
しかも、前記各延伸ブレードの両端は、その内の一つのブレードベアリング台にそれぞれ可動状に接続し、これにより前記各延伸ブレードは可動状に、内向きに旋回して閉じ、或いは外向きに旋回して展開することを特徴とする請求項１に記載のソーラーパネルを結合した風力発電装置。
【請求項３】
前記各ブレードベアリング台は、少なくとも１個の弾性ユニットを備え、
これにより、前記各延伸ブレードは、弾性状に、内向きに旋回して閉じ、或いは外向きに旋回して展開することを特徴とする請求項２に記載のソーラーパネルを結合した風力発電装置。
【請求項４】
前記各弾性ユニットは、少なくとも１個の気圧シリンダーをそれぞれ連接することを特徴とする請求項３に記載のソーラーパネルを結合した風力発電装置。
【請求項５】
前記各延伸ブレードがみな内向きに旋回して閉じると、前記上封鎖蓋体と前記各延伸ブレードとは、円筒状を形成することを特徴とする請求項２に記載のソーラーパネルを結合した風力発電装置。
【請求項６】
前記遮蔽モジュールはさらに、遮蔽本体、数個のサポートリブ、数個のサポート頂点フレームを備え、
前記遮蔽本体は、数個の角枠フレームにより組成し、しかも八角円錐状を形成し、
前記各サポートリブの両端は、前記各角枠フレームの片側及び前記上封鎖蓋体の上表面にそれぞれ連接し、
前記数個のサポート頂点フレームは、前記遮蔽本体の上方に設置することを特徴とする請求項１に記載のソーラーパネルを結合した風力発電装置。
【請求項７】
前記遮蔽本体内には、カーボンスリップブラシリングユニットを設置し、
しかも、前記カーボンスリップブラシリングユニットは、前記各ソーラーパネルに電気的に連接することを特徴とする請求項６に記載のソーラーパネルを結合した風力発電装置。
【請求項８】
前記発電モジュールは、さらに数個の発電機調整ユニットを備え、これにより前記各発電機の位置を調整することを特徴とする請求項１に記載のソーラーパネルを結合した風力発電装置。
【請求項９】
発電装置は、２個以上の請求項１に記載するソーラーパネルを結合した風力発電装置と複数の結合フレームを備え、
前記各結合フレームにより、前記ソーラーパネルを結合した風力発電装置を積み重ねることを特徴とする発電装置。
【請求項１０】
前記各結合フレームは、三角外枠と固定挿入槽を備え、
前記固定挿入槽と前記三角外枠との間には、複数の連接棒を連接し、前記各三角外枠間は、複数の連接柱を利用し、相互に連接し、
また、任意のソーラーパネルを結合した風力発電装置の両端は、その内の一つの固定挿入槽にそれぞれ連接することを特徴とする請求項９に記載の発電装置。
【考案の詳細な説明】
【技術分野】
【０００１】
本考案は風力発電装置に関し、特にソーラーパネルを結合した風力発電装置及びそれが組成する発電装置に関する。
【背景技術】
【０００２】
電力エネルギーを得るために、通常行われている方式は、水力発電、火力発電、原子力発電におおよそ分けられる。
その内、水力発電は地形環境の制限を受け、火力発電は空気汚染を加速し、地球温暖化を促進するという欠点がある。
一方、原子力発電には、壊滅的な危険が存在し、核廃棄物の不適切な処理が、深刻な環境破壊を引き起こしている。
【０００３】
世界全体での電力使用量は拡大を続けており、省エネの呼びかけが途切れることはない。
節電を心がける他に、ソーラーエネルギー発電、風力発電等の新しい電力供給源を求め、或いはエネルギー転換効率を高めるなどの取り組みも行われている。
ソーラーエネルギー発電は、地域と環境に限定されることはないが、緯度と日照時間の影響を受けざるを得ず、他のエネルギーと比較すれば、ソーラーエネルギーは電気エネルギーの転換において、時間もコストも多く必要である。
【０００４】
従来の風力発電設備の発電機は、ファンの回転軸と直接連結し、ファンの回転軸により発電機を連動する。
このような連結方式では、その巨大な体積の製造と組立ては、非常に面倒で、生産コストも人的コストも高騰してしまう。
しかも、発電機とファンとの上記した連結方式では、メンテナンスが非常に不便であるが、メンテナンスを頻繁に行わなければ、その故障率は高くなってしまう。
【０００５】
また、伝統的な風力発電機では、ブレードは、扇風力発電機と似たような形態で、地面と垂直な方向で風を受けて旋回するが、受風面積を拡大するためにブレードを非常に長くする必要がある。
これにより、避雷針を設置する場所がなくなり、或いは避雷針の長さはブレードの最高点より高くしなければならない。
さもなくば、雷雨時に風力発電機に雷撃があると、表面全体、或いはブレードが非導電性材質であったとしても、電気エネルギーは、風力発電機上に付着する雨水を伝って他の部位に流れ、他の電子装置に損壊の状況が発生する恐れがある。
【０００６】
さらに、現在の風力発電装置は、それが長時間日光に曝されていることと、その旋回の特性を効果的に利用できているとは言えない。
本考案は、従来の風力発電装置の上記した欠点に鑑みてなされたものである。
【考案の概要】
【考案が解決しようとする課題】
【０００７】
本考案が解決しようとする課題は、ブレードモジュールにより回転のトルクを高め、発電効率を向上させ、ソーラーパネルを組み合せて、ソーラーエネルギーの転換を行い、全体的な発電性能を高める作用を達成し、しかも本考案の構造は水平の角度で旋回するため、ブレードの長さをどのように設計しようとも、避雷針と各器材設備は本考案全体の頂点端に簡単に設置でき、従来の技術の問題を克服することができるソーラーパネルを結合した風力発電装置及びそれが組成する発電装置を提供することである。
【課題を解決するための手段】
【０００８】
上記課題を解決するため、本考案は下記のソーラーパネルを結合した風力発電装置及びそれが組成する発電装置を提供する。
ソーラーパネルを結合した風力発電装置は、中心軸体、タービンファン、ブレードモジュール、上封鎖蓋体、発電モジュール、遮蔽モジュールを備え、
該下ベアリング台は、サポート底台に固定して設置し、
該中心軸体一端は、該下ベアリング台に可動状に接続し、
該タービンファンは、該中心軸体に被せて設置し、しかも該下ベアリング台上に設置し、該タービンファンは、数個の通気孔及び数個のファンブレードを備え、
該各ファンブレードは、該各通気孔にそれぞれ対応し、該タービンファンの片側に設置し、
該ブレードモジュールは、該タービンファン上に設置し、数個の内ブレード及び数個の延伸ブレードを備え、
該各内ブレード及び該各延伸ブレードはそれぞれ、該タービンファン上に連接し、しかも該各延伸ブレードは、その内の一つの内ブレードにそれぞれ隣接し、しかも弧状を呈し、
該上封鎖蓋体は、該中心軸体に被せて設置し、しかもブレードモジュール上を覆って設置し、
該発電モジュールは、上封鎖蓋体上に設置し、主動ホイール、発電ユニットセット及び少なくとも１個の伝動ベルトを備え、
該主動ホイールは、上封鎖蓋体上に設置し、該上封鎖蓋体と連動し、
該発電ユニットセットは、少なくとも１個の発電機を備え、しかも該発電機は、発電機回転軸を備え、
少なくとも１個の伝動ベルトは、該発電機回転軸と該主動ホイールに嵌めて設置し、これにより該発電機回転軸は、該主動ホイールの連動を受け、
該遮蔽モジュールは、該上封鎖蓋体上を覆って設置し、しかも該遮蔽モジュールは、数個の延伸遮蔽板を備え、数個のソーラーパネルはそれぞれ該遮蔽モジュールの各延伸遮蔽板上に設置し、
上記した構成部材により組成し、風力を電気エネルギーに転換できるばかりか、ソーラーパネルによりソーラーエネルギーの転換を行うこともでき、二種の転換方式を結合することで、単一の風力発電設備或いは単一のソーラーエネルギー発電設備に比べ、同一地点での発電量が多く、また、ブレードモジュールは回転時のトルクを高めることができるため、従来の風力発電機より優れた発電効率を備え、
好ましくは、ソーラーパネルを結合した風力発電装置はさらに、数個のブレードベアリング台を備え、２個ずつが組になり、それぞれ上封鎖蓋体上の表面及びタービンファンの下表面に設置し、しかも該各延伸ブレードの両端は、その内の一つのブレードベアリング台にそれぞれ可動状に接続し、
これにより、該各延伸ブレードは可動状に、風向との相対位置に対応し、内向きに旋回して閉じ、或いは外向きに旋回して展開し、本考案は延伸ブレードの動きにより、回転全体の効率を高めることができ、
好ましくは、該各ブレードベアリング台は、少なくとも１個の弾性ユニットを備え、これにより該各延伸ブレードは、外へと旋回する予定力量を備え、
好ましくは、該各弾性ユニットは、少なくとも１個の気圧シリンダーをそれぞれ連接し、
好ましくは、該各延伸ブレードがみな内向きに閉じ合わせられると、該上封鎖蓋体、該各延伸ブレード、該タービンファンは円筒状を形成し、
好ましくは、該遮蔽モジュールはさらに、遮蔽本体、数個のサポートリブ及び数個のサポート頂点フレームを備え、該遮蔽本体は、数個の角枠フレームにより組成し、しかも八角円錐状を形成し、該各サポートリブの両端は、該各角枠フレームの片側及び該上封鎖蓋体の上表面にそれぞれ連接し、該各サポート頂点フレームは、該遮蔽本体の上方に設置し、
好ましくは、該遮蔽本体内には、カーボンスリップブラシリングユニットを設置し、しかも該カーボンスリップブラシリングユニットは、ソーラーパネルに電気的に連接し、
好ましくは、該発電モジュールは、さらに数個の発電機調整ユニットを備え、これにより該各発電機の位置を調整し、
好ましくは、さらに上ベアリング台を備え、中心軸体の反対端は該上ベアリング台に可動状に接続し、しかも該上ベアリング台及び該下ベアリング台はともに、スラスト軸受ユニットを備え、
こうして、本考案は発電装置を提供し、それは２個以上のソーラーパネルを結合した風力発電装置と複数の結合フレームを備え、該各結合フレームにより、該ソーラーパネルを結合した風力発電装置を積み重ね、
複数のソーラーパネルを重ねて結合した風力発電装置により組成する発電装置は、同一地区の風力資源を充分に利用でき、さらに多くの電気エネルギーを発電可能で、
好ましくは、該各結合フレームは、三角外枠と固定挿入槽を備え、該固定挿入槽と該三角外枠との間には、複数の連接棒を連接し、該各三角外枠間は、複数の連接柱を利用し、相互に連接し、また任意のソーラーパネルを結合した風力発電装置の両端は、その内の一つの固定挿入槽にそれぞれ連接する。
【考案の効果】
【０００９】
本考案のソーラーパネルを結合した風力発電装置及びそれが組成する発電装置は、以下の効果を備える。
従来の技術の風力発電機に比べ、本考案の風力発電装置は、組立て及びメンテナンスが便利である。
本考案の風力発電装置は、それが長期間日射にさらされるという特性を利用し、その頂点部にソーラーパネルを設置し、発電装置全体の発電性能を高め、しかもそれが利用するソーラーパネルは、市販のものを購入すればよく、別に特殊外形のものをオーダー生産する必要はない。
本考案の風力発電装置は、ソーラーパネルを旋回する枠フレーム上に設置するため、さらにソーラーパネルは風を受け、風力がソーラーパネルに対して生じる運動エネルギーを電気エネルギーに連関でき、旋回により、ソーラーパネルは散熱でき、汚れの付着を回避することもでき、電気エネルギー転換の効率を維持することができる。
本考案の風力発電装置は二層式の内、外ブレード設計を利用し、しかもその外ブレードをさらに弧状に設計することで、回転のトルクを効果的に高めることができる。
本考案の風力発電装置はさらに、内、外ブレード下方に、タービンファンを設置し、進入する気流を導引して上向きの力量を生じることで、中心軸体のベアリングの負荷を軽減することができる。
本考案の風力発電装置の外ブレードは、設置が簡単で、しかも組立てが便利で、迅速に分解可能であるため、旋回方向を設置する場所に応じて調整でき、各設置場所の風向きに応じて設定することができる。
【図面の簡単な説明】
【００１０】
【図１】本考案実施例のソーラーパネルを結合した風力発電装置のパーツ分解図である。
【図２】本考案実施例のソーラーパネルを結合した風力発電装置の組立て模式図である。
【図３】本考案実施例のソーラーパネルを結合した風力発電装置のブレードベアリング台の拡大模式図である。
【図４】本考案実施例のソーラーパネルを結合した風力発電装置において、すべての延伸翼が閉じた状態を示す立体模式図である。
【図５】本考案実施例の延伸翼と風力作用の動作模式図である。
【図６】本考案実施例のタービンファンと上封鎖蓋体回転の模式図である。
【図７】本考案実施例のタービンファンと風力作用の動作模式図である。
【図８】本考案実施例のソーラーパネルを結合した風力発電装置の局部分解立体模式図である。
【図９】本考案実施例のソーラーパネルを結合した風力発電装置の立体模式図である。
【図１０】本考案の発電装置の実施例立体図である。
【図１１】発電装置に用いる結合フレームの実施例立体図である。
【図１２】発電装置に用いる結合フレームの実施例俯視図である。
【考案を実施するための形態】
【００１１】
以下に図面を参照しながら本考案を実施するための最良の形態について詳細に説明する。
【実施例】
【００１２】
本考案のソーラーパネルを結合した風力発電装置の分解図と立体模式図である図１及び図２に示すように、ソーラーパネルを結合した風力発電装置1は、サポート底台10、下ベアリング台20、中心軸体30、タービンファン40、ブレードモジュール50、上封鎖蓋体60、発電モジュール70、遮蔽モジュール80、数個のソーラーパネル90を備える。
【００１３】
本考案中のサポート底台10の主要目的は、サポートである。
本説明書に付す図式は一種の型式に過ぎず、下ベアリング台20と結合し、全体の構造或いは建築物をサポートするもので、サポート底台と等価の構造はすべて採用することができ、図に限定するものではない。
【００１４】
下ベアリング台20は、サポート底台10上に固定して設置し、中心軸体30の一端は、下ベアリング台20上に可動状に設置し、反対端は、上ベアリング台20Aに可動状に設置する(図６参照)。
下ベアリング台20と上ベアリング台20Aは、スラスト軸受、深溝ベアリングなどで、二物を相対させて回転可能なパーツはどれも、下ベアリング台20と上ベアリング台20Aの等価パーツとすることができる。
例えば、軸方向ベアリング台、或いは径方向ベアリング台、或いはその組合もみな、等価のパーツであり、可以実際の必要に基づき変更を加えることができ、ここでは制限を加えない。
【００１５】
タービンファン40は、中心軸体30に嵌めて設置し、しかもタービンファン40上方には、ブレードモジュール50を設置する。
上封鎖蓋体60は、中心軸体30に嵌めて設置し、しかもブレードモジュール50上を覆って設置する。
発電モジュール70は、上封鎖蓋体60上に設置する。
遮蔽モジュール80は、上封鎖蓋体60上に設置し、しかもそれは数個の延伸遮蔽板81を備える。
数個のソーラーパネル90はそれぞれ、延伸遮蔽板81上に設置する。
当然、各延伸遮蔽板81は、ソーラーパネルとすることができる。
これは簡易な等価置換であるため、ここで説明しない。
【００１６】
一実施形態中では、サポート底台10は、数個の底台フレーム体により構成され、しかも各底台フレーム体はさらに、キャスターを含み、これにより移動の便を図る。
当然、サポート底台10は固定し、移動不能の設計とすることもでき、ここでは制限を設けるものではない。
【００１７】
さらに、図６と図７に示すように、タービンファン40は、中心軸体30上に被せて設置し、放射状に設置する数個の通気孔401、及び相互に対応する数個のファンブレード402を備える。
好ましい実施形態中では、各ファンブレード402は、各通気孔401の辺縁から下方へと延伸して構成するが、当然、各ファンブレード402はまた、タービンファン40の片側上に別に組み立てて設置することもできる。
【００１８】
図１に合わせて示すように、ブレードモジュール50は、数個の内ブレード51及び数個の延伸ブレード52を備える。
しかも、各延伸ブレード52は、その内の一つの内ブレード51にそれぞれ隣接する。
すなわち、内ブレード51は、タービンファン40の内縁に設置し、延伸ブレード52はタービンファン40の外縁に設置する。
内ブレード51及び延伸ブレード52は、弧状を呈し、しかも数枚を組み合せて構成する形式とし、或いは一枚の形式としてもよい。
別に、各内ブレード51は、螺固、粘着固定、係合槽、或いは嵌合等方式を利用し、タービンファン40上に設置する。
【００１９】
上封鎖蓋体60は、中心軸体30上に被せて設置し、しかもブレードモジュール50の上方を覆って蓋をする。
実際の応用中では、上封鎖蓋体60は、ブレードモジュール50上を覆って設置した後、螺合、粘着固定等方式を利用し、ブレードモジュール50と相互に固定する。
好ましい実施例中では、タービンファン40の上表面及び上封鎖蓋体60の下表面には、各内ブレード51及び各延伸ブレード52に対応し、凹槽などの強化構造(図示なし)を設置することができる。
これにより、内ブレード51とタービンファン40及び上封鎖蓋体60の機械連接強度を強化することができる。
【００２０】
別の組立て実施方式中では、使用者は、それぞれのファン設置場所の風向きの違いに応じて、ブレードモジュール50の風上面 (円弧凹面)の設置方向を変えることができる。
具体的には、図５に示すように、ブレードモジュール50が風を受けて旋回すると、逆時計回りに旋回し、北半球での応用に適用する。
反対に、南半球で用いる場合には、風を受け旋回すると、時計回りに旋回する。
使用者は、簡単に構造全体の組合せを変えることができる。
【００２１】
別に、図７に示すように、風が本装置に吹き付けると、タービンファン40に対して推進力を生じる。
同時に、風を内部に導入し、こうして全体は上向きの推進力を備え、上ベアリング台20Aと下ベアリング台20が受ける重力を軽減することができる。
これにより、上ベアリング台と下ベアリング台の磨損は最低まで低下し、使用寿命を延長することができる。
タービンファン40はまた、上昇気流を受けることもでき、この際にはタービンファン40に対して旋回の推進力を生じ、赤道等の上昇風が多いエリアでは、本実施例は、大自然の風力を完璧に利用する能力を備える。
言い換えれば、本実施例のソーラーパネルを結合した風力発電装置1は、さまざまな風力発電装置設置場所に適応可能で、しかも上昇気流を応用し、旋回発電に関する作業を行うことができる。
【００２２】
図１と図３に示すように、発電モジュール70は、主動ホイール71、発電ユニットセット72、少なくとも１個の伝動ベルト73を備える。
主動ホイール71は、上封鎖蓋体60に設置し、上封鎖蓋体60旋回時の連動を受ける。
発電ユニットセット72は、数個の発電機721を備え、しかも各発電機721発電機回転軸7211を備える。
【００２３】
伝動ベルト73は、各発電機回転軸7211と主動ホイール71との間に設置し、これにより主動ホイール71は、発電機回転軸7211を連動可能である。
実際の応用中では、各発電機721の数は増減させられる(１個以上)他、クラッチ及び変速器等を備える方式とすることができ、これにより発電をオン/オフし、或いは減速や加速の調整ができ、必要に応じて変換することができる。
別に、タービンファン40、ブレードモジュール50と上封鎖蓋体60とは、予め一体に組み立てることができる。
ここの組立て形態中では、発電モジュール70は迅速に分解可能な状態で、上封鎖蓋体60上に設置し、これにより迅速組立て分解/交換の効果を達成することができる。
【００２４】
図３、図４は、本考案の風力発電装置の作動模式図である。
図３に示すように、各上封鎖蓋体60の上方とタービンファン40の下方にはさらに、数個のブレードベアリング台53を設置する。
各ブレードベアリング台53は、ブレード回転軸531を備える。
各延伸ブレード52の上下両端は、上封鎖蓋体60上方に設置するブレードベアリング台53、及びタービンファン40下方に設置するブレードベアリング台53のブレード回転軸531上にそれぞれ設置する。
これにより、延伸ブレード52は、各ブレード回転軸531を軸心とし、向向きに、或いは外向きに旋回する。
【００２５】
好ましくは、各ブレードベアリング台53内には、トルクバネなどの少なくとも１個の弾性部品532を備える。
弾性部品532はさらに、気圧シリンダー533に連接し、これにより位置の微調整或いは位置のプレ設定を行うことができる。
例えば、各延伸ブレード52のプレ設定位置は、前向きに15度或いは45度或いは60度である。 
【００２６】
図４と図５に示すように、ブレードモジュール50が風を受けて旋回すると、受風面の延伸ブレード52は、風に押され、外へと旋回して展開する。
しかも、タービンファン40及び上封鎖蓋体60の旋回を連動する。
風下面の延伸ブレード52は、風を受け、及び内外圧力差の影響で、内向きに旋回する。
全体的には、ブレードモジュール50は、上封鎖蓋体60旋回を連動し、こうして連動主動ホイール71は、旋回する。
主動ホイール71が旋回すると、伝動ベルト73の牽引を通して、発電機回転軸7211を連動して回転させ、これにより電気エネルギーを発生する。  
図中に記載する発電機721の数量及びその配列位置は、一つの実施形態に過ぎず、実際の応用ではこれに限定しない。
【００２７】
本考案は、ブレードモジュール50を、上封鎖蓋体60に連接し、ベルト73を通して伝動する。
こうして、発電機721を連動し、電気エネルギーを発生させる。
発電過程では、中心軸体30は旋回に従わず(全体構造をサポートするのみ)、しかも他の歯車部品を必要としないため、使用者がメンテナンスを行う際に便利である。
上記した発電モジュール70はさらに、バッテリーなどの蓄電装置(図示なし)を備えることができる。
しかも、実際の必要に基づき、電気的に連接する方式で、電気エネルギーの伝送を行うことができる。
【００２８】
実際の応用中では、各発電機721に対応し、発電機位置調整ユニット722を増設し、発電機721の位置を調整することができる。
こうして、発電機回転軸の位置に対応し、ベルト73のゆるみの程度を調整することができる。
好ましい実施形態中では、上記の発電機位置調整ユニット722は、電気制御の方式を利用し行うことができる。
【００２９】
図４に示すように、各延伸ブレード52が内向きに旋回し閉じ、或いは閉じて密封されると、ブレードモジュール50及び上封鎖蓋体60は、円筒状となる。
実際の応用中では、本考案の風力発電装置1は、運搬過程で、各延伸ブレード52を内向きに閉じ合わせることができる。
例えば、タービンファン40或いは上封鎖蓋体60に、係合ユニットを設置し、これによりブレードモジュール50及び上封鎖蓋体60の円筒状を保持することができる。
閉じることができない従来のブレードに比べ、本考案は、組立てが便利で、運送も便利であるという長所を備える。
【００３０】
上記したように、本考案は、既存の固定式の直立ブレード(内ブレード51)の他に、固定式の各直立ブレードに相対して、旋回可能な延伸ブレード52を外へと増設できる。
これにより、その受風面を拡大できるだけでなく、延伸ブレード52両側に圧力差を生じさせ、全体が生じるトルクを高めることができる。
すなわち、本考案は可動状の延伸ブレード52を増設し、風向と内外圧力差に対応して、自動的に閉じたり開いたりの動作を行うことができ、こうして旋回トルクを拡大し、全体的な発電性能を高めることができる。
【００３１】
延伸ブレード52両側の圧力差は、ベルヌーイの定理に基づき、説明することができる。
図５に合わせて示すように、風が図中の右上から左下へと流動すると、通過する延伸ブレード52に対して押す力を生じる。
これにより、延伸ブレード52は内ブレード51に相対し外へと回転し、延伸ブレード52の受風面と風の通り道は、より垂直に近くなる。
また、延伸ブレード52が受ける推進力は、上封鎖蓋体70の回転を連動し、同時に風を導引し、受風面に沿って進入させる。
【００３２】
この時、ベルヌーイの定理(Bernoulli's principle)に基づけば、風が受風面に到達後、その速度は、推進力に転換し、及び転向することで遅くなる。
これに対して、延伸ブレード52風下面を通過する風の速度は、低下しない。
そのため、受風面の空気圧力は風下面の空気圧力より大きくなる。
よって、風力そのものの押す力に加え、圧力差により、さらに延伸ブレード52に対して推進力を生じる。
これがすなわち、風力の本実施例における第二次利用である。
【００３３】
続いて、風が延伸ブレード52に進入し、中心軸体30に接近すると、気流を圧縮して圧力を生じ、全体旋回時の安定性の向上に資する。
よって、揺れを減らし、騒音を低下させる効果を備える。
最後に、風は、図中に示す方向で、圧力が相対的に低い方へと流動して導出される。
この他、円弧凹状の延伸ブレード52が逆風である時、風力が背面に圧力を加えることと、圧力差が生じることで、延伸ブレード52は内向きに回転する。
この種の延伸ブレード52の位置を自動で調節するメカニズムにより、回転の抵抗力を減らすことができる。
本実施例は、風の推進力を運用するだけでなく、それが生じる圧力差をも運用するため、より大きなトルクを生じることができる。
よって、発電性能は従来の風力発電機に比べ、非常に高くなる。
【００３４】
図８及び図９は、ソーラーパネル90を設置する遮蔽モジュール80と上封鎖蓋体70の分解及び組立て模式図である。
図５に示すように、遮蔽モジュール80は、上封鎖蓋体70上に対応して設置し、遮蔽本体801、数個の延伸遮蔽板81、数個の遮蔽板81a、数個のサポートリブ82、数個のサポート頂点フレーム83を備える。
【００３５】
遮蔽本体801は、数個の角枠フレーム8011により組成する。
数個の延伸遮蔽板81及び数個の遮蔽板81aは、遮蔽本体801上にそれぞれ設置する。
数個のサポートリブ82は、各角枠フレーム8011と上封鎖蓋体60と間に直立させて設置し、遮蔽モジュール80全体の機械強度を強化する。
数個のサポート頂点フレーム83は、遮蔽本体801の頂点部に設置する。
実際の応用中では、数個のサポート頂点フレーム83は、数個のアーム棒831を利用し相互に連接し、その機械強度を拡大することができる。
【００３６】
上記したように、好ましくは、遮蔽本体801は、八角円錐状で、４個の遮蔽板81aは遮蔽本体801の角錐に対応し、三角形で、しかも遮蔽本体801上に間隔を開けて設置する。
４個の延伸遮蔽板81は、矩形の外形を呈し、遮蔽板81の三角形より、矩形平面811を外へと延伸し、遮蔽本体801上に間隔を開けて設置する。
言い換えれば、延伸遮蔽板81と遮蔽板81aとを、遮蔽本体801上に間隔を開けて設置する。
４個のソーラーパネルは、各延伸遮蔽板81の矩形平面811上に対応して設置する。
【００３７】
別に、遮蔽モジュール80は、カーボンスリップブラシリングユニット84を設置することができる。
しかもそれは、中心軸体30上に被せて設置し、しかもカーボンスリップブラシリングユニット84はソーラーパネル90に電気的に連接する。
遮蔽本体801全体は、風車の外形を呈するため、遮蔽本体801が風を受けて旋回すると、遮蔽本体801のカーボンスリップブラシリングユニット84は、ソーラーパネル90が発生する電気エネルギーを、カーボンスリップブラシリングユニット84が連接する装置(例えば、蓄電装置など)へと導引することができる。
【００３８】
すなわち、本考案は、風力発電装置にソーラーパネル90を結合し、しかもソーラーパネル90を旋回可能な遮蔽モジュール80上に設置することで、ソーラーパネル90により電気エネルギーを発生することができるばかりか、ソーラーパネル90が風を受けて旋回すると、風力発電により電力を発生することもできる。
【００３９】
また、ソーラーパネル90も一緒に旋回することで、散熱の効果を発揮する。
これにより、位置が固定され、日照を受け続けることで高温を生じ、転換効率が低下するという従来のソーラーパネルに存在する問題を克服することができる。
さらに、旋回中のソーラーパネルは、遠心力により、ほこりが付着しにくく、また鳥類がその上に立つこともできないため、ソーラーパネルに汚れが付着し、陽光を遮るという問題の発生をも回避することができる。
【００４０】
加えて、本実施例の中心軸体30は、固定され回転せず、しかもブレードモジュール50の回転方向は、地面と平行であるため、全体の頂点端には、中心軸体30への連接を通して、少なくとも１個の航空障害灯A、少なくとも１個の風速計B、少なくとも１個の風向計C、或いは少なくとも１個の避雷針D等の任意の観測器材或いは安全器材を設置することができる。
【００４１】
別に、図１０〜図１２に示すように、本考案の発電装置は、複数のソーラーパネルを結合した風力発電装置1と結合フレームSを備える。
各結合フレームSを通して、ソーラーパネルを結合した風力発電装置1を上に重ね、発電量を拡大することができる。
【００４２】
結合フレームSは、三角外枠S1と固定挿入槽S2を備える。
固定挿入槽S2と三角外枠S1との間には、複数の連接棒S3を連接し、各三角外枠S1間は、連接柱S4を利用して相互に連接する。
これにより、各ソーラーパネルを結合した風力発電装置1は、安定的に積み重ねることができ、こうして、受風面積と発電量を拡大することができる。
これもまた、従来の技術では達成できない、本考案の長所の一つである。
その組合方式は、中心軸体30の上下両端を、任意の２個の固定挿入槽S2との間にそれぞれ固定する。
こうして、図１０に示す垂直スタックを実現することができる。
【００４３】
本考案の作動時には、内外圧力差の調節、バランスを用いるため、安定的な運転が可能で、しかも騒音を発しない(従来の風力発電機の騒音は大きい)。
しかも、トルクを拡大でき、電気エネルギーへの転換効率を高めることができる。
さらに、従来の技術に比べ、本考案の中心軸体は、外軸がない設計であるため、外軸を通して他のパーツと連接する構造である従来の技術とは完全に異なる。
よって、本考案の中心軸体の設置は、従来の技術に比べ簡単である。
【００４４】
加えて、本考案はジャイロ回転に類似の原理を採用するため、運転を開始した後、回転の中心は固定され偏移せず、全体的にバランス状態を維持することができる。
その長所は、質量の小さなパーツがもたらす影響を無視可能となる点である。
すなわち、組立てに用いる固定パーツの質量が完全に相同でないため、相対する位置の重量がそれぞれ絶対対称でないとしても、全体の回転時の中心位置に影響を及ぼすことはない。
また、もし運転時に軽微な外力に押され、或いは揺れて震動したとしても、上記した特性により、短時間で正常回転を回復することができる。
【００４５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４７】
1  ソーラーパネルを結合した風力発電装置 
10  サポート底台
102  キャスター
20  下ベアリング台
20Ａ  上ベアリング台
30  中心軸体
40  タービンファン
401  通気孔
402  ファンブレード
50  ブレードモジュール
51  内ブレード
52  延伸ブレード
53  ブレードベアリング部
531  ブレード回転軸
532  弾性部品
533  気圧シリンダー
60  上封鎖蓋体
70  発電モジュール
71  主動ホイール
72  発電ユニットセット
721  発電機
7211  発電機回転軸
722  発電機調整ユニット
73  伝動ベルト
80  遮蔽モジュール
801  遮蔽本体
8011  角枠フレーム
81  延伸遮蔽板
811  矩形平面
81a  遮蔽板
82  サポートリブ
83  サポート頂点フレーム
831  アーム棒
84  カーボンスリップブラシリングユニット
90  ソーラーパネル
A  航空障害灯
B  風速計
C  風向計
D  避雷針
S  結合フレーム
S1  三角外枠
S2  固定挿入槽
S3  連接棒
S4  連接柱
【図１】
0003187822.tif 000003
【図２】
0003187822.tif 000004
【図３】
0003187822.tif 000005
【図４】
0003187822.tif 000006
【図５】
0003187822.tif 000007
【図６】
0003187822.tif 000008
【図７】
0003187822.tif 000009
【図８】
0003187822.tif 000010
【図９】
0003187822.tif 000011
【図１０】
0003187822.tif 000012
【図１１】
0003187822.tif 000013
【図１２】
0003187822.tif 000014